(57)【要約】【課題】本発明は多機能の果物ピーラーを開示した。【解決手段】切断ブロックを含み、前記切断ブロックの中には切断チャンバが設けられ、前記切断チャンバの中には切ることができる切断機構が設けられ、前記切断機構は回転ロッドを含み、前記回転ロッドには切断刃が固定的に取り付けられ、前記切断ブロックの底部端面には接続箱が固定的に取り付けられ、前記接続箱の中にはねじチャンバが設けられ、前記ねじチャンバには右に開口した接続チャンバが連通して設けられ、前記ねじチャンバと前記接続チャンバとの間には果物の腐ったとこを除去できる機能付きの除去機構が設けられ、前記除去機構はねじブロックを含み、前記ねじブロックの中にはねじ孔が設けられ、前記除去機構の下方には固定機能付きの固定機構が設けられ、前記固定機構は移動ブロックを含みむ。【選択図】図１
2020175085.tif 000002
【特許請求の範囲】
【請求項１】
切断ブロックを含み、前記切断ブロックの中には切断チャンバが設けられ、前記切断チャンバの中には切ることができる切断機構が設けられ、前記切断機構は回転ロッドを含み、前記回転ロッドには切断刃が固定的に取り付けられ、前記切断ブロックの底部端面には接続箱が固定的に取り付けられ、前記接続箱の中にはねじチャンバが設けられ、前記ねじチャンバには右に開口した接続チャンバが連通して設けられ、前記ねじチャンバと前記接続チャンバとの間には果物の腐ったとこを除去できる機能付きの除去機構が設けられ、前記除去機構はねじブロックを含み、前記ねじブロックの中にはねじ孔が設けられ、前記除去機構の下方には固定機能付きの固定機構が設けられ、前記固定機構は移動ブロックを含み、前記移動ブロックの中には移動溝が設けられ、前記移動溝の左右両側には引掛りチャンバが設けられ、前記引掛りチャンバの下方にはスライド溝が設けられ、前記引掛りチャンバの中には引掛りブロックがスライドできるように係合取り付けられ、前記スライド溝の中にはスライダーがスライドできるように係合取り付けられ、前記スライダーは前記引掛りブロックと固定的に接続されることを特徴とする多機能の果物ピーラー。
【請求項２】
前記固定機構は前記引掛りブロックと前記引掛りチャンバとの間に固定的に取り付けられるスライドバネを含み、前記スライダーの中には下に開口した伸縮チャンバが設けられ、前記伸縮チャンバの中には伸縮ロッドがスライドできるように係合取り付けられ、前記伸縮ロッドの底部端面には伸縮ブロックが固定的に取り付けられ、前記伸縮ロッドの頂部端面と前記伸縮チャンバの頂壁との間には伸縮バネが固定的に取り付けられ、前記伸縮ブロックの中には固定ブロックが回転できるように係合取り付けられ、前記固定ブロックには押しブロックが固定的に取り付けられ、それにより、両側の固定ブロックが果物を固定し、伸縮ロッドが伸縮チャンバの中にスライドでき、引掛りブロックおよびスライダーは引掛りチャンバおよびスライド溝にスライドし、さまざまな果物の大きさに合わせることを特徴とする請求項１に記載の多機能の果物ピーラー。
【請求項３】
前記除去機構は前記ねじチャンバの右側内壁に回転できるように係合取り付けられ且つ前記接続箱の左側端面を貫通するねじロッドを含み、前記ねじロッドの左側端面には回転つまみが固定的に取り付けられ、前記ねじブロックが前記ねじチャンバと前記接続チャンバとの間にスライドできるように係合取り付けられ、前記ねじ孔は前記ねじロッドとねじ山による係合取り付けられ、前記ねじブロックの中には位置制限チャンバが設けられ、前記位置制限チャンバの中には位置制限ブロックがスライドできるように係合取り付けられ、前記位置制限ブロックの右側端面には前記ねじブロックの右側端面を貫通するスプーンが固定的に取り付けられ、前記位置制限ブロックの右側端面と前記位置制限チャンバの右側内壁との間には位置制限バネが上下に対称的に固定的に取り付けられ、前記接続箱の底部端面には接続ロッドが固定的に取り付けられ、前記接続ロッドは前記移動溝がスライドできるように係合取り付けられ、前記接続ロッドの底部端面にはナイフヘッドが固定的に取り付けられ、前記カッターヘッドの中には下に開口した皮むきチャンバが設けられ、前記皮むきチャンバの中には皮むきナイフが固定的に取り付けられ、これにより皮むきナイフを使って果皮を剥がし、果物に腐ったとこがある場合、回転つまみを回転させ、ねじロッドを回転連動させ、ねじロッドはねじブロックを連動させて左右に移動させ、スプーンを使って果物に腐ったとこを掘り下げることを特徴とする請求項１に記載の多機能の果物ピーラー。
【請求項４】
前記切断機構は前記切断刃の右側端面に固定的に取り付けられる保護ブロックを含み、前記回転ロッドが前記切断チャンバの前後の内壁の間に回転できるように係合取り付けられ、前記切断ブロックの外側にはゴムブロックが覆われ、したがって、果物を切るときには、ゴムブロックを取り外し、切断刃を回転させ、切断刃を使って切ることを特徴とする請求項１に記載の多機能の果物ピーラー。
【発明の詳細な説明】
【技術分野】
【０００１】
本発明はピーラー分野を取り上げて、具体的には多機能の果物ピーラーである。
【背景技術】
【０００２】
一般的な果物ピーラーは果物だけをむくことができ、利用者は果物を切るとき、別の道具を使う必要とされ、果物を剥がす過程には、果物を固定することができず、果物が落下し、損失を引き起こし、普通の果物ピーラーはメ果物の腐ったとこを処理することができず、人々が果物の腐ったとこを処理するとき、方法として噛むのによく使われ、非常に不健康である。
【先行技術文献】
【特許文献】
【０００３】
【特許文献１】中国特許出願公開第１０７００７１２５号明細書
【発明の概要】
【発明が解決しようとする課題】
【０００４】
本発明は多機能の果物ピーラーを提供し、従来技術における上記欠点を解消することを目的とする。
【課題を解決するための手段】
【０００５】
本発明の多機能の果物ピーラーは、切断ブロックを含み、前記切断ブロックの中には切断チャンバが設けられ、前記切断チャンバの中には切ることができる切断機構が設けられ、前記切断機構は回転ロッドを含み、前記回転ロッドには切断刃が固定的に取り付けられ、前記切断ブロックの底部端面には接続箱が固定的に取り付けられ、前記接続箱の中にはねじチャンバが設けられ、前記ねじチャンバには右に開口した接続チャンバが連通して設けられ、前記ねじチャンバと前記接続チャンバとの間には果物の腐ったとこを除去できる機能付きの除去機構が設けられ、前記除去機構はねじブロックを含み、前記ねじブロックの中にはねじ孔が設けられ、前記除去機構の下方には固定機能付きの固定機構が設けられ、前記固定機構は移動ブロックを含み、前記移動ブロックの中には移動溝が設けられ、前記移動溝の左右両側には引掛りチャンバが設けられ、前記引掛りチャンバの下方にはスライド溝が設けられ、前記引掛りチャンバの中には引掛りブロックがスライドできるように係合取り付けられ、前記スライド溝の中にはスライダーがスライドできるように係合取り付けられ、前記スライダーは前記引掛りブロックと固定的に接続される。
【０００６】
好ましくは、前記固定機構は前記引掛りブロックと前記引掛りチャンバとの間に固定的に取り付けられるスライドバネを含み、前記スライダーの中には下に開口した伸縮チャンバが設けられ、前記伸縮チャンバの中には伸縮ロッドがスライドできるように係合取り付けられ、前記伸縮ロッドの底部端面には伸縮ブロックが固定的に取り付けられ、前記伸縮ロッドの頂部端面と前記伸縮チャンバの頂壁との間には伸縮バネが固定的に取り付けられ、前記伸縮ブロックの中には固定ブロックが回転できるように係合取り付けられ、前記固定ブロックには押しブロックが固定的に取り付けられる。
【０００７】
好ましくは、前記除去機構は前記ねじチャンバの右側内壁に回転できるように係合取り付けられ且つ前記接続箱の左側端面を貫通するねじロッドを含み、前記ねじロッドの左側端面には回転つまみが固定的に取り付けられ、前記ねじブロックが前記ねじチャンバと前記接続チャンバとの間にスライドできるように係合取り付けられ、前記ねじ孔は前記ねじロッドとねじ山による係合取り付けられ、前記ねじブロックの中には位置制限チャンバが設けられ、前記位置制限チャンバの中には位置制限ブロックがスライドできるように係合取り付けられ、前記位置制限ブロックの右側端面には前記ねじブロックの右側端面を貫通するスプーンが固定的に取り付けられ、前記位置制限ブロックの右側端面と前記位置制限チャンバの右側内壁との間には位置制限バネが上下に対称的に固定的に取り付けられ、前記接続箱の底部端面には接続ロッドが固定的に取り付けられ、前記接続ロッドは前記移動溝がスライドできるように係合取り付けられ、前記接続ロッドの底部端面にはナイフヘッドが固定的に取り付けられ、前記カッターヘッドの中には下に開口した皮むきチャンバが設けられ、前記皮むきチャンバの中には皮むきナイフが固定的に取り付けられる。
【０００８】
好ましくは、前記切断機構は前記切断刃の右側端面に固定的に取り付けられる保護ブロックを含み、前記回転ロッドが前記切断チャンバの前後の内壁の間に回転できるように係合取り付けられ、前記切断ブロックの外側にはゴムブロックが覆われる。
【発明の効果】
【０００９】
本発明の有益な効果は：本発明の切断機構における切断刃は、必要に応じて果実を切断することができ、除去機構におけるスプーンが伸縮することができ、果物に腐ったとこを処理する必要があると、スプーンを回転させて出てき、果物に腐ったとこを処理し、固定機構における固定ブロックは異なるサイズの果物を固定することができ、皮をむくとき、果皮を落とすことを防ぎ、宣伝価値がある。
【図面の簡単な説明】
【００１０】
便利しやすいために、本発明は以下の具体的な実施例及び付図により詳しく説明する。
【００１１】
【図１】図１は本発明の多機能の果物ピーラーの構成模式図
【発明を実施するための形態】
【００１２】
下記に図1を合わせて本発明について詳しく説明します。説明を便利にさせるように、ここで下記の方位に規定します：下記の上下左右前後という方向は図1の自身の投影関係の上下左右前後の方向と一致します。
【００１３】
図1を参照し、本発明の実施例の多機能の果物ピーラーは、切断ブロック12を含み、前記切断ブロック12の中には切断チャンバ11が設けられ、前記切断チャンバ11の中には切ることができる切断機構90が設けられ、前記切断機構90は回転ロッド44を含み、前記回転ロッド44には切断刃42が固定的に取り付けられ、前記切断ブロック12の底部端面には接続箱14が固定的に取り付けられ、前記接続箱14の中にはねじチャンバ40が設けられ、前記ねじチャンバ40には右に開口した接続チャンバ17が連通して設けられ、前記ねじチャンバ40と前記接続チャンバ17との間には果物の腐ったとこを除去できる機能付きの除去機構80が設けられ、前記除去機構80はねじブロック41を含み、前記ねじブロック41の中にはねじ孔39が設けられ、前記除去機構80の下方には固定機能付きの固定機構70が設けられ、前記固定機構70は移動ブロック35を含み、前記移動ブロック35の中には移動溝27が設けられ、前記移動溝27の左右両側には引掛りチャンバ20が設けられ、前記引掛りチャンバ20の下方にはスライド溝22が設けられ、前記引掛りチャンバ20の中には引掛りブロック19がスライドできるように係合取り付けられ、前記スライド溝22の中にはスライダー23がスライドできるように係合取り付けられ、前記スライダー23は前記引掛りブロック19と固定的に接続される。
【００１４】
有益なまた例を示すように、前記固定機構70は前記引掛りブロック19と前記引掛りチャンバ20との間に固定的に取り付けられるスライドバネ21を含み、前記スライダー23の中には下に開口した伸縮チャンバ33が設けられ、前記伸縮チャンバ33の中には伸縮ロッド32がスライドできるように係合取り付けられ、前記伸縮ロッド32の底部端面には伸縮ブロック26が固定的に取り付けられ、前記伸縮ロッド32の頂部端面と前記伸縮チャンバ33の頂壁との間には伸縮バネ34が固定的に取り付けられ、前記伸縮ブロック26の中には固定ブロック25が回転できるように係合取り付けられ、前記固定ブロック25には押しブロック24が固定的に取り付けられ、それにより、両側の固定ブロック25が果物を固定し、伸縮ロッド32が伸縮チャンバ33の中にスライドでき、引掛りブロック19およびスライダー23は引掛りチャンバ20およびスライド溝22にスライドし、さまざまな果物の大きさに合わせる。
【００１５】
有益なまた例を示すように、前記除去機構80は前記ねじチャンバ40の右側内壁に回転できるように係合取り付けられ且つ前記接続箱14の左側端面を貫通するねじロッド15を含み、前記ねじロッド15の左側端面には回転つまみ16が固定的に取り付けられ、前記ねじブロック41が前記ねじチャンバ40と前記接続チャンバ17との間にスライドできるように係合取り付けられ、前記ねじ孔39は前記ねじロッド15とねじ山による係合取り付けられ、前記ねじブロック41の中には位置制限チャンバ36が設けられ、前記位置制限チャンバ36の中には位置制限ブロック18がスライドできるように係合取り付けられ、前記位置制限ブロック18の右側端面には前記ねじブロック41の右側端面を貫通するスプーン37が固定的に取り付けられ、前記位置制限ブロック18の右側端面と前記位置制限チャンバ36の右側内壁との間には位置制限バネ38が上下に対称的に固定的に取り付けられ、前記接続箱14の底部端面には接続ロッド31が固定的に取り付けられ、前記接続ロッド31は前記移動溝27がスライドできるように係合取り付けられ、前記接続ロッド31の底部端面にはナイフヘッド28が固定的に取り付けられ、前記カッターヘッド28の中には下に開口した皮むきチャンバ29が設けられ、前記皮むきチャンバ29の中には皮むきナイフ30が固定的に取り付けられ、これにより皮むきナイフ30を使って果皮を剥がし、果物に腐ったとこがある場合、回転つまみ16を回転させ、ねじロッド15を回転連動させ、ねじロッド15はねじブロック41を連動させて左右に移動させ、スプーン37を使って果物に腐ったとこを掘り下げる。
【００１６】
有益なまた例を示すように、前記切断機構90は前記切断刃42の右側端面に固定的に取り付けられる保護ブロック43を含み、前記回転ロッド44が前記切断チャンバ11の前後の内壁の間に回転できるように係合取り付けられ、前記切断ブロック12の外側にはゴムブロック13が覆われ、したがって、果物を切るときには、ゴムブロック13を取り外し、切断刃42を回転させ、切断刃42を使って切る。
【００１７】
利用するとき、両側の固定ブロック25が果物を固定し、伸縮ロッド32が伸縮チャンバ33の中にスライドでき、引掛りブロック19およびスライダー23は引掛りチャンバ20およびスライド溝22にスライドし、さまざまな果物の大きさに合わせ、皮むきナイフ30を使って果皮を剥がし、果物に腐ったとこがある場合、回転つまみ16を回転させ、ねじロッド15を回転連動させ、ねじロッド15はねじブロック41を連動させて左右に移動させ、スプーン37を使って果物に腐ったとこを掘り下げ、果物を切るときには、ゴムブロック13を取り外し、切断刃42を回転させ、切断刃42を使って切る。
【００１８】
本発明の有益な効果は：本発明の切断機構における切断刃は、必要に応じて果実を切断することができ、除去機構におけるスプーンが伸縮することができ、果物に腐ったとこを処理する必要があると、スプーンを回転させて出てき、果物に腐ったとこを処理し、固定機構における固定ブロックは異なるサイズの果物を固定することができ、皮をむくとき、果皮を落とすことを防ぎ、宣伝価値がある。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020175085.tif 000003
【図２】
2020175085.tif 000004
【図３】
2020175085.tif 000005
【図４】
2020175085.tif 000006
【手続補正書】
【提出日】令和1年5月21日(2019.5.21)
【手続補正１】
【補正対象書類名】明細書
【補正対象項目名】００１１
【補正方法】変更
【補正の内容】
【００１１】
【図１】図１は本発明の多機能の果物ピーラーの構成模式図
【図２】図２は図１におけるＡ―Ａ方向の断面構成図
【図３】図３は図１におけるＢ―Ｂ方向の断面構成図
【図４】図４は図１におけるＣの拡大構成図